【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
通信システムにおいて送信スロットを端末に割り当てる方法であって、
前記通信システムは、複数の端末と、受信視野を有し、前記複数の端末からの送信を受信する共通受信機とを備え、
前記方法は、
前記複数の端末の内の一つの端末であって、当該端末の地理的位置を取得することと、
前記端末の前記取得された地理的位置に基づいて送信スロットを割り当てることと、を含み、
前記共通受信機から前記複数の端末までのフィードバックチャネルが存在することなく、または、前記共通受信機から前記複数の端末までのフィードバックチャネルが存在しているが、前記端末への送信スロットの割り当てのため使用されることなく、前記端末への送信スロットの割り当てが前記共通受信機とは独立に実行される方法。
【請求項２】
前記地理的位置は、メモリの一つ、位置決定モジュールまたは通信リンクを経由してから取得される、請求項１に記載の方法。
【請求項３】
各端末は、複数の地理的領域を備えるスロット計画データベースを含み、各地理的領域は、１個以上のスロットの集合に関連付けられ、
前記送信スロットを割り当てることは、
前記端末の前記地理的位置を収容する前記地理的領域を決定するステップと、
前記決定された地理的領域に関連付けられた１個以上のスロットの前記集合からスロットを選択するステップと、をさらに備える、請求項１に記載の方法。
【請求項４】
前記スロット計画データベースの中の前記地理的領域の各々が境界を有し、前記境界の各々が端末の統計的空間分布に基づいて決定される、請求項３に記載の方法。
【請求項５】
各スロットは、最大でｍ個の領域に関連付けられている、請求項３に記載の方法。
【請求項６】
前記複数の地理的領域は、運用領域を形成し、前記スロット計画データベースの中の前記地理的領域の各々が境界を有し、前記領域の前記境界は、前記領域が前記運用領域の不規則な区分を形成するように不規則である、請求項３に記載の方法。
【請求項７】
グラフ彩色アルゴリズムを使用して１個以上のスロットの集合を各地理的領域に割り当てるステップをさらに含み、
各領域がグラフの中の単一の頂点に関連付けられ、エッジが境界領域内にある前記グラフの中の頂点のいずれかのペアの間に作成されている請求項３または７に記載の方法。
【請求項８】
前記境界領域は、前記共通受信機の推定受信視野と完全に境界を接する最小の円形である、請求項７に記載の方法。
【請求項９】
前記地理的領域の各々は、矩形地理的領域であり、前記スロットデータベースは、長さＸおよびＹの辺を持つ矩形格子を形成する地理的領域を記憶し、前記端末の前記地理的位置を収容する前記地理的領域を決定するステップは、地理的領域番号Ｒを決定することを含む、請求項３に記載の方法。
【請求項１０】
１個以上のスロットの前記集合を各地理的領域に割り当てるステップをさらに備え、同じスロットの集合が第１の領域および第２の領域の両方のため使用され、前記第１の領域および前記第２の領域が前記共通受信機の共通受信視野の中の異なった領域に対応し、前記第１の領域が正のドップラーオフセットを有し、前記第２の領域が負のドップラーオフセットを有する、請求項３に記載の方法。
【請求項１１】
１個以上のスロットの前記集合は、複数のスロットであり、前記決定された地理的領域に関連付けられた１個以上のスロットの前記集合からスロットを選択するステップは、端末の局所的なグループ内のスロットの前記集合からの前記スロットの選択を局所的に連携させることにより実行される、請求項３に記載の方法。
【請求項１２】
前記スロット計画データベースは、ツリーデータ構造体かトレリスデータ構造体のいずれか一方として記憶される、請求項３に記載の方法。
【請求項１３】
前記端末は、これらの端末の送信周波数を制御する可能性があり、前記端末へのスロットの割り当ては、前記共通受信機から周波数帯域全体に亘って周波数のおおよそ一様な分布が見えるように実行される、請求項１に記載の方法。
【請求項１４】
前記端末によって使用される前記送信周波数に対する確率密度関数ｑ＊が取得され、各端末は、前記端末によって使用される前記送信周波数に対する前記取得された確率密度関数ｑ＊に基づいて周波数オフセットを無作為に選択する、請求項１３に記載の方法。
【請求項１５】
前記端末によって使用される前記送信周波数に対する前記確率密度関数ｑ＊は、一様であるか、数値シミュレーションによって取得されるかのいずれか一方であり、周波数は、周波数を地理的スロット計画の中のスロットに関連付けることにより各端末に決定論的に割り当てられ、前記スロット計画の中で使用される各周波数の割合がｑ＊に従う、請求項１３に記載の方法。
【請求項１６】
通信システムで用いられる端末であって、
共通受信機と、
複数の端末と、備え、
前記複数の端末の内の一つである前記端末が、
送信機と、
端末の地理的位置を取得する位置モジュールと、
前記取得された地理的位置に基づいて送信スロットを選択するスロット・セレクタ・モジュールと、を備え、
前記共通受信機から前記端末までのフィードバックチャネルが存在することなく、または、前記共通受信機から前記端末までのフィードバックチャネルが存在しているが、前記端末への送信スロットの割り当てのため使用されることなく、前記端末への送信スロットの割り当てが前記共通受信機とは独立に実行される、端末。
【請求項１７】
前記位置モジュールは、メモリの少なくとも一つ、前記端末の前記位置を推定する位置決定モジュール、または通信リンクを経由して位置を受信する受信機から前記地理的位置を取得する、請求項１６に記載の端末。
【請求項１８】
局所的なスロット・セレクタ・モジュールおよび局所的なスロット連携入力をさらに備え、前記スロット・セレクタ・モジュールは、前記取得された位置に基づいて複数のスロットを前記局所的なスロット・セレクタ・モジュールに提供するようにさらに構成され、前記局所的なスロット・セレクタ・モジュールは、局所的なスロット連携入力から受信された局所的な連携入力を使用する１台以上の送信機との局所的な連携を使用して前記複数のスロットからスロットを選択するように構成されている、請求項１６に記載の端末。
【請求項１９】
前記スロット・セレクタ・モジュールは、複数の地理的領域を備えるスロット計画データベースをさらに備え、各地理的領域が１個以上のスロットの集合に関連付けられ、前記スロット・セレクタ・モジュールは、前記端末の前記地理的位置を収容する前記地理的領域を決定し、前記決定された地理的領域に関連付けられた１個以上のスロットの前記集合からスロットを選択するように構成されている、請求項１６に記載の端末。
【請求項２０】
複数の端末と、
前記複数の端末からの送信を受信する共通受信機と、
前記端末のそれぞれは、
送信機と、
端末の地理的位置を取得する位置モジュールと、
前記取得された地理的位置に基づいて送信スロットを選択するスロット・セレクタ・モジュールと、を備え、
前記共通受信機から前記複数の端末までのフィードバックチャネルが存在することなく、または、前記共通受信機から前記複数の端末までのフィードバックチャネルが存在しているが、前記端末への送信スロットの割り当てのため使用されることなく、前記端末への送信スロットの割り当てが前記共通受信機または他の前記端末とは独立に実行される、通信システム。